(57)【要約】【課題】従来のワイヤベイトは、金属製の細線部材で屈曲形成されているので、浮力に乏しく、横揺れに欠け、ラインやスナップ、スイベルが掛け難い問題点があった。【解決手段】本発明は、薄地のプレート１で所定幅を有する二又状のアッパーアーム５とロアーアーム９を形成し、当該プレート１の先端部２とアッパーアーム５とロアーアーム９とに小孔３，６，１０を穿孔し、当該小孔３，６，１０にブレード８、スプリットリング１６、スイベル７を掛け易くして、渓流や湖、又は海中において浮き易く、横揺れ、光の反射が得られ易くした、釣り用ルアーである。【選択図】図１
2010252765.tif 000002
【特許請求の範囲】
【請求項１】
二又状に分岐したプレートの先端部に複数の小孔を穿孔し、前記プレートの先端部と分岐部とから右上方向に伸長するアッパーアームを成形し、当該アッパーアームに小孔を穿孔し、当該小孔にスイベルを介してブレードを回転自在に取り付け、前記プレートの先端部と分岐部とから右下方向に傾斜するロアーアームを成形し、当該ロアーアームに小孔を穿孔し、当該ロアーアームの末端にフックとスカートとが装着されるヘッドを固設した、釣り用ルアー。
【発明の詳細な説明】
【技術分野】
【０００１】  本発明は、薄地の平板を二又状に分岐したプレートで成形されるスピナーベイト、ジグスピナー、バズベイトに係る釣り用ルアーに関する。
【背景技術】
【０００２】  従来、ハードベイトの釣り用ルアーには、金属製の細線部材を所定形状に屈曲形成してなるワイヤベイトがあった。【０００３】  スピナーベイトは、一本のワイヤを略Ｌ字形状に成形し、そのワイヤの上端に葉っぱに似た金属製のブレードを取り付け、当該ブレードの光沢や派手な振動と音、泡、きらめきで魚を誘う効果があった（例えば、特許文献１参照）。【０００４】  ジグスピナーは、所定方向に分岐した二又状のワイヤに、スピナーブレード、スナップ、錘付きフックなどを取り付け、ライン（釣り糸）で二又状のワイヤを引っ張るとブレードが振動し、魚を誘い出し、横揺れするワイヤの錘付きフックでフッキングするものがあった（例えば、特許文献２参照）。【０００５】  バズベイトは、トップウォーター系のワイヤベイトであって、水流を受けることで浮力を得て、ブレードが大きな三角形のプロペラ水面をかき回し、その音と水しぶきで魚を誘う効果があった（例えば、特許文献３参照）。
【先行技術文献】
【特許文献】
【０００６】
【特許文献１】特開平１１−２０６２７４号公報  ４頁  図４
【特許文献２】登録実用新案第３０８１４１３号公報  ２頁  図２
【特許文献３】登録実用新案第３１０９９６３号公報  ５頁  図１
【発明の概要】
【発明が解決しようとする課題】
【０００７】  以上に述べた従来のワイヤベイトは、金属製の細線部材で屈曲形成されているため、浮力に乏しく、横揺れに欠け、しかも、ワイヤの一部を加工した係止部にスナップやスイベルが掛け難い問題点があった。【０００８】  本発明は、従来のワイヤベイトが有する問題点を解消しようとするものであって、プラスチック製、アルミニウム合金製、チタン又はカーボン製による薄地のプレートを利用して、所定幅を有する二又状のプレートを形成し、当該プレートにアッパーアームとロアーアームを成形し、プレート及び両アームに複数の小孔を穿孔したハードベイトであって、浮力を有し、横揺れし、光の反射が得られやすく、スナップやスプリットリング又はスイベル等を掛け易くした、釣り用ルアーの実現を目的とするものである。
【課題を解決するための手段】
【０００９】  本発明は前記の課題を解決するために、以下の構成を採用した。【００１０】  本発明に係る釣り用ルアーは、プラスチック製、アルミニウム合金製、チタン又はカーボン製による薄地のプレートを二又状に分岐して、所定幅を有する長方形状のアッパーアームとロアーアームを成形し、当該プレートの先端部に複数の小孔を穿孔し、プレートの先端部と分岐部とから右上方向に伸長したアッパーアームに複数の小孔を穿孔し、当該アッパーアームの末端に穿孔した小孔に、スイベルを介してブレードを回転自在に取り付け、前記プレートの先端部と分岐部とから右下方向に傾斜したロアーアームに複数の小孔を穿孔し、当該ロアーアームの末端に、フックとスカートとが装着されるヘッドを固設することを特徴とするものである。【００１１】  二又状体に形成するプレートにおいて、アッパーアームを長手方向の中程から上向きに屈曲形成し、当該アッパーアームの屈折部縁辺に複数の小孔を穿孔し、当該小孔にスプリットリングやスイベルを介してブレードを取り付け、アッパーアームの末端に穿孔した小孔に、スプリットリングやスイベルを介してブレードを取り付け、ロアーアームの長手方向の中程に穿孔した複数の小孔に、スプリットリングやスイベルを介してブレードを取り付け、当該ロアーアームの末端にフックとスカートとが装着されるヘッドを固設して用いてもよい。【００１２】  また、二又状に形成するプレートにおいて、アッパーアーム下辺部の中程に水平に突き出たサブアームを形成し、当該サブアームの一端に穿孔した小孔に、スプリットリングやスイベルを介してブレードを取り付け、上記アッパーアームの末端に穿孔した小孔に、スプリットリングやスイベルを介してブレードを取り付け、ロアーアームの上辺部中程に穿孔した複数の小孔にスプリットリングやスイベルを介してブレードを取り付け、当該ロアーアームの末端に、フックとスカートとが装着されるヘッドを固設して用いてもよい。【００１３】  二又状に形成するプレートにおいて、ロアーアームの全長をアッパーアームよりも短く形成して、ロアーアームに複数の小孔を穿孔し、当該小孔にスプリットリングやスイベルを介してブレードを取り付け、ロアーアームの末端にスナップを介してフック付きのジグヘッドを連結し、アッパーアームに複数の小孔を穿孔し、当該アッパーアーム末端の小孔にスプリットリングやスイベルを介してブレードを取り付けて用いてもよい。【００１４】  また、二又状に形成するプレートにおいて、アッパーアームの全長をロアーアームよりも短く形成し、当該アッパーアームの末端に水平なシャフトを固設して、当該シャフトにビーズを介してバズブレードを取り付け、当該バズブレードやビーズがずれ落ちないようにシャフトの前方に鞘管部材を固定し、上記プレートの先端部と分岐部とからロアーアームを水平方向に形成し、当該ロアーアームの長手方向に複数の小孔を穿孔し、当該ロアーアームの末端に、フックとスカートが装着されるヘッドを固設して用いてもよい。【００１５】  二又状に形成するプレートにおいて、ロアーアームの長手方向に穿孔した小孔にスプリットリングとスイベルを介してブレードを取り付け、当該ロアーアーム下辺部に設けた小孔にスプリ���トリングを介してトリプルフックを吊下げ、さらに、ロアーアームの末端にフックとスカートが装着されるヘッドを固設して、アッパーアームに設けたシャフトにビーズを介してバズブレードを取り付け、当該バズブレードやビーズがずれ落ちないようにシャフト前方に鞘管部材を固定して用いてもよい。
【発明の効果】
【００１６】  本発明に係る釣り用ルアーは、二又状に分岐したプレートにアッパーアームとロアーアームを形成したものであって、水面又は水面下で浮き易く、横揺れ、光の反射が得られるため、魚を誘う効果があって、渓流や湖、海中でルアーフィッシングを行うのに最適なハードルアーである。【００１７】  また、本発明に係るプレートの先端部又はアッパーアームやロアーアームの平坦面に小孔を穿孔したので、渓流や湖、海中の対象魚に応じたラインやブレードまたはスナップ、スプリットリング、スイベル等の引っ掛けや取り替えを容易にしたものである。
【図面の簡単な説明】
【００１８】
【図１】本発明に係る基本構成を示す正面図である。
【図２】本発明の実施例に係るスピナーベイトを示す正面図である。
【図３】本発明の実施例に係るスピナーベイトを示す正面図である。
【図４】本発明の実施例に係るジグスピナーを示す正面図である。
【図５】本発明の実施例に係るバズベイトを示す正面図である。
【図６】本発明の実施例に係るバズベイトを示す正面図である。
【発明を実施するための形態】
【００１９】  本発明はハードルアーに属する釣り用ルアーであって、スピナーベイト、ジグスピナー、バズベイトの実施形態を、図面に基づいて説明する。
【実施例１】
【００２０】  図１は本発明に係る釣り用ルアーのスピナーベイトを示す実施形態であって、１は二又状体のプレート、５はアッパーアーム、９はロアーアーム、８はブレード、１１はフック、１２はスカート、１３はヘッドである。【００２１】  上記のプレート１は、二又状に分岐して成形されたものであって、板厚が略１ｍｍで、所定幅が略１０ｍｍのアルミニウム合金製、プラスチック製、チタン又はカーボン製で、当該プレート１の先端部２にライン（図示せず）を連結する複数の小孔３を穿孔し、前記先端部２と分岐部４から右上方向に伸長したアッパーアーム５に複数の小孔６を穿孔し、当該アッパーアーム５の末端に穿孔された小孔６にスプリットリング１６やスイベル７を介してブレード８を回転自在に取り付けて、上記プレート１の先端部２と分岐部４とから右下方向に傾斜するロアーアーム９を成形し、当該ロアーアーム９に複数の小孔１０を穿孔し、当該ロアーアーム９の末端に、フック１１とスカート１２とが装着されるヘッド１３を固設したことを特徴とする、スピナーベイトを実現するものである。【００２２】  なお、前記スカート１２は、ビニール又はラバーなどで作られた細片を束ねてスカート状にしたものである。
【実施例２】
【００２３】  図２は、二又状体のプレート１ａにおいて、アッパーアーム５０を長手方向の中程から上向きに屈折形成し、当該アッパーアーム５０の末端に穿孔した小孔６０に、スプリットリング１６０やスイベル７０を介してブレード８０を回転自在に取り付け、また、アッパーアーム５０の下辺部中程に穿孔した複数の小孔６０に、スプリットリング１６０やスイベル７０を介してブレード８０を回転自在に取り付け、ロアーアーム９０の長手方向の上辺部に穿孔した複数の小孔１００に、スプリットリング１６０やスイベル７０を介してブレード８０を回転自在に取り付け、当該ロアーアーム９０の末端に、フック１１０とスカート１２０とが装着されるヘッド１３０を固設したことによって、上記アッパーアーム５０とロアーアーム９０とに取り付けた各ブレード８０は、互いに干渉することなく自在に回転するので、前記各ブレード８０が有する光沢と水流による横揺れとにより、きらめき効果が発揮されて魚を誘う効果が得られる、スピナーベイトを実現するものである。
【実施例３】
【００２４】  図３は、二又状体のプレート１ｂにおいて、アッパーアーム５１の長手方向の中程に水平に突出したサブアーム２２を成形し、当該サブアーム２２の一端に小孔６１を穿孔し、当該小孔６１にスプリットリング１６１やスイベル７１を介してブレード８１を回転自在に取り付け、また、ロアーアーム９１の長手方向の上辺に穿孔した複数の小孔１０１に、スイベル７１を介してブレード８１を回転自在に取り付け、当該ロアーアーム９１の末端に、フック１１１とスカート１２１とが装着されるヘッド１３１を固設し、アッパーアーム５１の末端に設けた小孔６１に、スプリットリング１６１やスイベル７１を介してブレード８１を回転自在に取り付けると、当該アッパーアーム５１とロアーアーム９１とに取り付けた各ブレード８１が、互いに干渉することなく自在に回転するので、各ブレード８１が有する光沢と水流による横揺れとによって、きらめき効果が発揮されて魚を誘う効果が得られる、スピナーベイトを実現するものである。
【実施例４】
【００２５】  図４は、本発明に係る釣り用ルアーのジグスピナーを示す実施形態であって、二又状体のプレート１ｃにおいて、アッパーアーム５２の末端にスプリットリング１６２やスイベル７２を介してブレード８２を回転自在に取り付け、ロアーアーム９２の長手方向をアッパーアーム５２よりも短く成形し、当該ロアーアーム９２の末端に、スナップ１７を介してフック付きのジグヘッド１５を取り付けることによって、アンダーウォーター系のジグスピナーを実現するものである。【００２６】  上記ジグヘッド１５は、シンカー（おもり）とフックが一体化したものであって、ライン（図示せず）をリーリングすることによってブレード８２が回転し、魚を誘い出し、横揺れするフック付きジグヘッド１５でフッキングできるので、水面から底までの深さにおいて使用することができる。
【実施例５】
【００２７】  図５は、二又状体のプレート１ｄにおいて、アッパーアーム５３の長手方向を短く成形し、当該アッパーアーム５３の末端に水平なシャフト１８を固設して、当該シャフト１８にビーズ１４を介してバズブレード１９を回転自在に取り付け、当該バズブレード１９やビーズ１４のずれ落ちを防ぐ鞘管部材２１をシャフト１８の前方に固定し、前記プレート１ｄの先端部２ａと分岐部４０とからロアーアーム９３を水平方向に形成し、当該ロアーアーム９３の長手方向に穿孔した複数の小孔１０３を設け、当該ロアーアーム９３の末端に、フック１１２とスカート１２２とが装着されるヘッド１３２を固設したことを特徴とする、バズベイトを実現するものである。
【実施例６】
【００２８】  図６は、二又状体のプレート１ｅにおいて、ロアーアーム９４の上辺部中程にスプリットリング１６３とスイベル７３を介しブレード８３を取り付け、当該ロアーアーム９４の下辺部にスプリットリング１６３を介しトリプルフック２０を吊下げ、ロアーアーム９４の末端に、フック１１３とスカート１２３とが装着されるヘッド１３３を固設し、アッパーアーム５４に設けたシャフト１８０にビーズ１４０を介してバズブレード１９０を回転自在に取り付けてなる、バズベイトを実現するものである。【００２９】  上記のバズベイトは、渓流で使用されるトップウォーター系の釣り用ルアーであって、アッパーアーム５４の末端に設けたバズブレード１９０と水平なロアーアーム９４を成形したことによって、水流を受けやすく浮力が得やすいので、バズブレード１９０が水面をかき回し、その音と水しぶきで魚を誘う効果がある。
【符号の説明】
【００３０】  １  プレート
２  先端部
３  複数の小孔
４  分岐部
５  アッパーアーム
６  複数の小孔
７  スイベル
８  ブレード
９  ロアーアーム
１０  複数の小孔
１１  フック
１２  スカート
１３  ヘッド
１４  ビーズ
１５  ジグヘッド
【図１】
2010252765.tif 000003
【図２】
2010252765.tif 000004
【図３】
2010252765.tif 000005
【図４】
2010252765.tif 000006
【図５】
2010252765.tif 000007
【図６】
2010252765.tif 000008